【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
入力された画像に予測処理を施し、符号化済みの画素に基づく予測画像と前記入力された画像との差分である予測誤差を生成する予測手段と、
前記予測誤差を直交変換して変換係数を生成する変換手段と、
前記変換係数を量子化して量子化係数を生成する量子化手段と、
前記量子化係数を符号化する第１符号化手段と、
前記変換係数が取り得る範囲及び前記量子化係数が取り得る範囲のうち少なくともいずれかひとつを示す情報を符号化する第２符号化手段と
を有することを特徴とする画像符号化装置。
【請求項２】
前記情報は、前記変換係数が取り得る範囲が前記入力された画像のビット深度に依存する範囲であるかを示す情報である
ことを特徴とする請求項１記載の画像符号化装置。
【請求項３】
前記情報は、前記量子化係数が取り得る範囲が前記入力された画像のビット深度に依存する範囲であるかを示す情報である
ことを特徴とする請求項１又は２に記載の画像符号化装置。
【請求項４】
前記変換手段は、前記情報に基づいて前記予測誤差を直交変換する
ことを特徴とする請求項１〜３のいずれか１項に記載の画像符号化装置。
【請求項５】
前記量子化手段は、前記情報に基づいて前記変換係数を量子化する
ことを特徴とする請求項１〜４のいずれか１項に記載の画像符号化装置。
【請求項６】
前記情報は、異なるビット深度を有する第１画像と第２画像とが入力された場合に、前記第１画像に対応する変換係数が取り得る範囲と、前記第２画像に対応する変換係数が取り得る範囲とが異なるか、又は、等しいことを示す情報である
ことを特徴とする請求項１〜５のいずれか１項に記載の画像符号化装置。
【請求項７】
前記情報は、異なるビット深度を有する第１画像と第２画像とが入力された場合に、前記第１画像に対応する量子化係数が取り得る範囲と、前記第２画像に対応する量子化係数が取り得る範囲とが異なるか、又は、等しいことを示す情報である
ことを特徴とする請求項１〜６のいずれか１項に記載の画像符号化装置。
【請求項８】
前記情報は、前記入力された画像のビット深度と、基準となるビット深度との差分値を示す情報である
ことを特徴とする請求項１〜７のいずれか１項に記載の画像符号化装置。
【請求項９】
前記変換係数が取り得る範囲は、前記予測誤差の係数を水平方向に一次元直交変換した結果の取り得る範囲である
ことを特徴とする請求項１〜８のいずれか１項に記載の画像符号化装置。
【請求項１０】
前記変換係数が取り得る範囲は、前記予測誤差の係数を垂直方向に一次元直交変換した結果の取り得る範囲である
ことを特徴とする請求項１〜９のいずれか１項に記載の画像符号化装置。
【請求項１１】
前記第２符号化手段は、対応する画像復号装置における復号が可能な処理の組合せを示すプロファイルとして前記情報を符号化する
ことを特徴とする請求項１〜１０のいずれか１項に記載の画像符号化装置。
【請求項１２】
入力された画像に予測処理を施し、符号化済みの画素に基づく予測画像と前記入力された画像との差分である予測誤差を生成する予測手段と、
前記予測誤差を直交変換して変換係数を生成する変換手段と、
前記変換係数を量子化して量子化係数を生成する量子化手段と、
前記量子化係数を符号化する第１符号化手段と、
前記変換係数が取り得る範囲と、前記量子化係数が取り得る範囲と、前記予測処理の演算精度とのうち少なくともいずれかひとつを示す情報を符号化する第２符号化手段と
を有することを特徴とする画像符号化装置。
【請求項１３】
前記予測手段は、前記予測誤差の演算精度を示す情報に基づいて、前記入力された画像に予測処理を施す
ことを特徴とする請求項１２記載の画像符号化装置。
【請求項１４】
前記予測処理の演算精度を示す情報は、前記予測画像を生成する際の中間値の取り得る範囲を示す
ことを特徴とする請求項１２又は１３に記載の画像符号化装置。
【請求項１５】
入力されたビットストリームから符号化された量子化係数を復号して量子化係数を再生する第１復号手段と、
前記量子化係数を逆量子化して変換係数を再生する逆量子化手段と、
前記変換係数を逆直交変換して予測誤差を再生する逆変換手段と、
前記変換係数が取り得る範囲及び前記量子化係数が取り得る範囲のうち少なくともいずれかひとつを示す情報をビットストリームから復号する第２復号手段と
を有することを特徴とする画像復号装置。
【請求項１６】
復号済みの画素に予測処理を施して予測画像を生成し、当該予測画像と前記予測誤差とを用いて復号された再生画像を生成する再生手段を有し、
前記情報は、前記変換係数が取り得る範囲が前記再生画像のビット深度に依存する範囲であるかを示す情報である
ことを特徴とする請求項１５記載の画像復号装置。
【請求項１７】
復号済みの画素に予測処理を施して予測画像を生成し、当該予測画像と前記予測誤差とを用いて復号された再生画像を生成する再生手段を有し、
前記情報は、前記量子化係数が取り得る範囲が前記再生画像のビット深度に依存する範囲であるかを示す情報である
ことを特徴とする請求項１５又は１６に記載の画像復号装置。
【請求項１８】
前記逆変換手段は、前記情報に基づいて前記変換係数を逆直交変換する
ことを特徴とする請求項１５〜１７のいずれか１項に記載の画像復号装置。
【請求項１９】
前記逆量子化手段は、前記情報に基づいて前記量子化係数を逆量子化する
ことを特徴とする請求項１５〜１８のいずれか１項に記載の画像復号装置。
【請求項２０】
前記情報は、復号すると第１の画像が再生される第１ビットストリームと、復号すると前記第１の画像とは異なるビット深度を有する第２画像が再生される第２ビットストリームとが入力された場合に、前記第１ビットストリームに対応する変換係数が取り得る範囲と、前記第２ビットストリームに対応する変換係数が取り得る範囲とが異なるか、又は、等しいことを示す情報である
ことを特徴とする請求項１５〜１９のいずれか１項に記載の画像復号装置。
【請求項２１】
前記第１ビットストリームには、前記第１の画像のビット深度を示す情報が含まれ、前記第２ビットストリームには、前記第２の画像のビット深度を示す情報が含まれる
ことを特徴とする請求項２０記載の画像復号装置。
【請求項２２】
前記情報は、復号すると第１の画像が再生される第１ビットストリームと、復号すると前記第１の画像とは異なるビット深度を有する第２画像が再生される第２ビットストリームとが入力された場合に、前記第１ビットストリームに対応する量子化係数が取り得る範囲と、前記第２ビットストリームに対応する量子化係数が取り得る範囲とが異なるか、又は、等しいことを示す情報である
ことを特徴とする請求項１５〜２１のいずれか１項に記載の画像復号装置。
【請求項２３】
復号済みの画素に予測処理を施して予測画像を生成し、当該予測画像と前記予測誤差とを用いて復号された再生画像を生成する再生手段を有し、
前記情報は、前記再生画像のビット深度と基準となるビット深度との差分値を示す情報である
ことを特徴とする請求項１５〜２２のいずれか１項に記載の画像復号装置。
【請求項２４】
前記第２復号手段は、画像復号装置における復号が可能な処理の組合せを示すプロファイルを入力されたビットストリームから復号し、前記プロファイルから前記情報を算出する
ことを特徴とする請求項１５〜２３のいずれか１項に記載の画像復号装置。
【請求項２５】
入力されたビットストリームから符号化された量子化係数を復号して量子化係数を再生する第１復号手段と、
前記量子化係数を逆量子化して変換係数を再生する逆量子化手段と、
前記変換係数を逆直交変換して予測誤差を再生する逆変換手段と、
復号済みの画素に基づく予測画像と前記予測誤差を用いて前記画像を再生する再生手段と、
前記変換係数が取り得る範囲と、前記量子化係数が取り得る範囲と、前記再生手段における予測処理の演算精度とのうち少なくともいずれかひとつを示す情報をビットストリームから復号する第２復号手段と
を有することを特徴とする画像復号装置。
【請求項２６】
前記再生手段は、前記再生手段における予測処理の演算精度を示す情報に基づいて、前記画像を再生する
ことを特徴とする請求項２５記載の画像復号装置。
【請求項２７】
前記再生手段における予測処理の演算精度を示す情報は、前記予測画像を生成する際の中間値の取り得る範囲を示す
ことを特徴とする請求項２５又は２６に記載の画像復号装置。
【請求項２８】
入力された画像に予測処理を施し、符号化済みの画素に基づく予測画像と前記入力された画像との差分である予測誤差を生成する予測工程と、
前記予測誤差を直交変換して変換係数を生成する変換工程と、
前記変換係数を量子化して量子化係数を生成する量子化工程と、
前記量子化係数を符号化する第１符号化工程と、
前記変換係数が取り得る範囲及び前記量子化係数が取り得る範囲のうち少なくともいずれかひとつを示す情報を符号化する第２符号化工程と
を有することを特徴とする画像符号化方法。
【請求項２９】
入力された画像に予測処理を施し、符号化済みの画素に基づく予測画像と前記入力された画像との差分である予測誤差を生成する予測工程と、
前記予測誤差を直交変換して変換係数を生成する変換工程と、
前記変換係数を量子化して量子化係数を生成する量子化工程と、
前記量子化係数を符号化する第１符号化工程と、
前記変換係数が取り得る範囲と、前記量子化係数が取り得る範囲と、前記予測処理の演算精度とのうち少なくともいずれかひとつを示す情報を符号化する第２符号化工程と
を有することを特徴とする画像符号化方法。
【請求項３０】
入力されたビットストリームから符号化された量子化係数を復号して量子化係数を再生する第１復号工程と、
前記量子化係数を逆量子化して変換係数を再生する逆量子化工程と、
前記変換係数を逆直交変換して予測誤差を再生する逆変換工程と、
前記変換係数が取り得る範囲及び前記量子化係数が取り得る範囲のうち少なくともいずれかひとつを示す情報をビットストリームから復号する第２復号工程と
を有することを特徴とする画像復号方法。
【請求項３１】
入力されたビットストリームから符号化された量子化係数を復号して量子化係数を再生する第１復号工程と、
前記量子化係数を逆量子化して変換係数を再生する逆量子化工程と、
前記変換係数を逆直交変換して予測誤差を再生する逆変換工程と、
復号済みの画素に基づく予測画像と前記予測誤差を用いて前記画像を再生する再生工程と、
前記変換係数が取り得る範囲と、前記量子化係数が取り得る範囲と、前記再生手段における予測処理の演算精度とのうち少なくともいずれかひとつを示す情報をビットストリームから復号する第２復号工程と
を有することを特徴とする画像復号方法。
【請求項３２】
請求項１〜１４のいずれか１項に記載の画像符号化装置の各手段としてコンピュータを機能させることを特徴とするプログラム。
【請求項３３】
請求項１５〜２７のいずれか１項に記載の画像復号装置の各手段としてコンピュータを機能させることを特徴とするプログラム。
【手続補正２】
【補正対象書類名】明細書
【補正対象項目名】０００９
【補正方法】変更
【補正の内容】
【０００９】
上記課題を解決するために、本発明の画像符号化装置は、下記の構成を有する。入力された画像に予測処理を施し、符号化済みの画素に基づく予測画像と前記入力された画像との差分である予測誤差を生成する予測手段と、前記予測誤差を直交変換して変換係数を生成する変換手段と、前記変換係数を量子化して量子化係数を生成する量子化手段と、前記量子化係数を符号化する第１符号化手段と、前記変換係数が取り得る範囲及び前記量子化係数が取り得る範囲のうち少なくともいずれかひとつを示す情報を符号化する第２符号化手段とを有する。
また、上記課題を解決するために、本発明の画像符号化装置は、下記の構成を有する。入力された画像に予測処理を施し、符号化済みの画素に基づく予測画像と前記入力された画像との差分である予測誤差を生成する予測手段と、前記予測誤差を直交変換して変換係数を生成する変換手段と、前記変換係数を量子化して量子化係数を生成する量子化手段と、前記量子化係数を符号化する第１符号化手段と、前記変換係数が取り得る範囲と、前記量子化係数が取り得る範囲と、前記予測処理の演算精度とのうち少なくともいずれかひとつを示す情報を符号化する第２符号化手段とを有する。
【手続補正３】
【補正対象書類名】明細書
【補正対象項目名】００１０
【補正方法】変更
【補正の内容】
【００１０】
上記課題を解決するために、本発明の画像復号装置は、下記の構成を有する。入力されたビットストリームから符号化された量子化係数を復号して量子化係数を再生する第１復号手段と、前記量子化係数を逆量子化して変換係数を再生する逆量子化手段と、前記変換係数を逆直交変換して予測誤差を再生する逆変換手段と、前記変換係数が取り得る範囲及び前記量子化係数が取り得る範囲のうち少なくともいずれかひとつを示す情報をビットストリームから復号する第２復号手段とを有する。
また、上記課題を解決するために、本発明の画像復号装置は、下記の構成を有する。入力されたビットストリームから符号化された量子化係数を復号して量子化係数を再生する第１復号手段と、前記量子化係数を逆量子化して変換係数を再生する逆量子化手段と、前記変換係数を逆直交変換して予測誤差を再生する逆変換手段と、復号済みの画素に基づく予測画像と前記予測誤差を用いて前記画像を再生する再生手段と、前記変換係数が取り得る範囲と、前記量子化係数が取り得る範囲と、前記再生手段における予測処理の演算精度とのうち少なくともいずれかひとつを示す情報をビットストリームから復号する第２復号手段とを有する。